(57)【要約】【課題】乗りかご内に取付けられる表示器が小型であるため、多くの行先階表示文字が表示器に表示されると行先階表示文字を読取ることが困難となっていた。【解決手段】エレベーター制御装置２は、送受信部２１と、表示制御部２２と、を備える。送受信部２１は、行先階登録装置に登録され、昇降路を昇降する乗りかごの号機毎に割当てられた行先階を受信する。表示制御部２２は、号機毎に設けられ、行先階を表す行先階表示文字を表示する表示器に対して、割当てられた行先階の数に応じて、行先階表示文字の表示形態を切替える指示を送受信部を通じて表示器に送信する。【選択図】図１
2019001621.tif 000002
【特許請求の範囲】
【請求項１】
行先階登録装置に登録され、昇降路を昇降する乗りかごの号機毎に割当てられた行先階を受信する送受信部と、
前記号機毎に設けられ、前記行先階を表す行先階表示文字を表示する表示器に対して、割当てられた前記行先階の数に応じて、前記行先階表示文字の表示形態を切替える指示を前記送受信部を通じて前記表示器に送信する表示制御部と、を備える
エレベーター制御装置。
【請求項２】
前記表示制御部は、
前記行先階登録装置から登録された前記行先階を前記送受信部を通じて取得する行先階情報取得部と、
前記乗りかごのサービス行程に合わせて登録された前記行先階の数を前記号機毎に判定する行先階登録数判定部と、
登録された前記行先階の数に応じて前記行先階表示文字の表示形態を前記号機毎に切替えて、前記表示器に前記行先階表示文字を表示させる制御を行う表示切替制御部と、を備える
請求項１に記載のエレベーター制御装置。
【請求項３】
前記行先階表示文字の表示形態は、固定表示、スクロール表示、又はページ切替表示のいずれかである
請求項２に記載のエレベーター制御装置。
【請求項４】
前記固定表示は、登録された前記行先階の数が前記表示器の表示可能行数以下である場合に、登録された前記行先階の前記行先階表示文字を表示する形態である
請求項３に記載のエレベーター制御装置。
【請求項５】
前記スクロール表示は、登録された前記行先階の数が前記表示器の表示可能行数より多く、かつ前記表示器の表示可能行数に所定数を加えた数未満である場合に、前記乗りかごの昇降方向に合わせて前記行先階表示文字をスクロールして表示する形態である
請求項３に記載のエレベーター制御装置。
【請求項６】
前記スクロール表示では、前記表示器に表示しきれない前記行先階表示文字があることを示す情報が前記乗りかごの昇降方向に合わせて表示される
請求項５に記載のエレベーター制御装置。
【請求項７】
前記ページ切替表示は、登録された前記行先階の数が前記表示器の表示可能行数に所定数を加えた数以上である場合に、前記表示可能行数のページ毎に切替えて前記行先階表示文字を表示する形態である
請求項３に記載のエレベーター制御装置。
【請求項８】
昇降路を昇降する乗りかごと、
前記乗りかごの行先階が登録され、前記乗りかごの号機毎に前記行先階を割当てる行先階登録装置と、
前記号機毎に設けられ、前記行先階を示す行先階表示文字を表示する表示器と、
エレベーター制御装置と、を備え、
前記エレベーター制御装置は、
前記行先階登録装置に登録され、前記乗りかごの号機毎に割当てられた前記行先階を受信する送受信部と、
割当てられた前記行先階の数に応じて、前記行先階表示文字の表示形態を切替える指示を前記送受信部を通じて前記表示器に送信する表示制御部と、を備える
エレベーター装置。
【請求項９】
行先階登録装置に登録され、昇降路を昇降する乗りかごの号機毎に割当てられた行先階を送受信部を通じて前記行先階登録装置から受信する手順と、
前記号機毎に設けられ、前記行先階を表す行先階表示文字を表示する表示器に対して、割当てられた前記行先階の数に応じて、前記行先階表示文字の表示形態を切替える指示を前記送受信部を通じて前記表示器に送信する手順と、をコンピューターに実行させるための
プログラム。
【発明の詳細な説明】
【技術分野】
【０００１】
本発明は、例えば、表示器に乗りかごの行先階を表示可能なエレベーター制御装置、エレベーター装置及びプログラムに関する。
【背景技術】
【０００２】
従来、エレベーター装置の乗りかご内には、乗りかごの現在位置等を表示可能な表示器が備えられている。このような表示器には、例えば、ＬＥＤ（Light Emitting Diode）パネルや液晶パネルが用いられる。
【０００３】
特許文献１には、かごの走行速度に反比例するように表示部の表示文字のサイズを変更制御する技術が開示されている。
【先行技術文献】
【特許文献】
【０００４】
【特許文献１】特開２００１−３１０８８２号公報
【発明の概要】
【発明が解決しようとする課題】
【０００５】
近年、複数の乗りかごを群管理制御することが可能となっている。乗場に設けられた行先階登録装置を用いて行先階が登録されると、行先階登録装置により号機毎に行先階が割当てられる。そして、エレベーター装置の利用者は、行先階登録装置に表示される号機番号を確認し、この号機番号に対応するエレベーター装置の乗場ドアの近くに移動する。乗りかごが乗場階に到着すると、かごドア及び乗場ドアが開く。乗りかごの出入口枠には、小型の表示器が設けられる。この表示器には、乗りかごに割当てられた行先階を示す行先階表示文字が表示される。このため、利用者は、表示器を見て、乗りかごに割当てられた行先階を確認することができる。
【０００６】
なお、乗りかごの出入口枠に大型の表示器を設置するスペースを確保することができないため、出入口枠には小型の表示器が設置されている。しかし、小型の表示器では表示可能な行先階表示文字の行数が限られていた。そして、一つの号機に多くの行先階が割当てられると、表示器に表示される行先階表示文字の数が多くなる。ここで、全ての行先階表示文字を表示器に表示するため、行先階表示文字のフォントサイズが小さく表示されると視認性が低下する。この結果、利用者は、自身が行先階登録装置に登録した行先階を表示器から確認することが難しかった。
【０００７】
なお、特許文献１に開示された技術を、表示器に行先階表示文字を表示する方法に適用した場合、行先階表示文字が逐次スクロール表示されることとなる。このため、号機に割当てられた行先階の数が多くなると、利用者が登録した行先階の行先階表示文字が表示されるまで時間がかかってしまう。また、多数の行先階表示文字が表示器に表示されると、行先階表示文字のフォントサイズが小さくなるため、利用者が短時間で行先階を確認することが難しかった。
【０００８】
本発明はこのような状況に鑑みて成されたものであり、利用者が乗りかごに乗車する前に、乗りかごに割当てられた行先階を確認しやすくすることを目的とする。
【課題を解決するための手段】
【０００９】
本発明に係るエレベーター制御装置は、行先階登録装置に登録され、昇降路を昇降する乗りかごの号機毎に割当てられた行先階を受信する送受信部と、号機毎に設けられ、行先階を表す行先階表示文字を表示する表示器に対して、割当てられた行先階の数に応じて、行先階表示文字の表示形態を切替える指示を送受信部を通じて表示器に送信する表示制御部と、を備える。
【発明の効果】
【００１０】
本発明によれば、乗りかごに割当てられた行先階の数に応じて複数の行先階表示文字の表示形態を切替えることにより、例えば、小型の表示器であっても、行先階表示文字の視認性が向上し、利用者が行先階を確認しやすくなる。
上記した以外の課題、構成及び効果は、以下の実施の形態の説明により明らかにされる。
【図面の簡単な説明】
【００１１】
【図１】本発明の一実施の形態に係るエレベーター装置の内部構成例を示すブロック図である。
【図２】本発明の一実施の形態例に係る乗りかごの内部から、かごドアが配置された面を見た様子の例を示す説明図である。
【図３】本発明の一実施の形態例に係る乗場から、乗りかご内を見た様子の例を示す説明図である。
【図４】本発明の一実施の形態に係る出入口枠表示器の設置場所を示す乗りかごの平面図である。
【図５】本発明の一実施の形態に係る計算機のハードウェア構成例を示すブロック図である。
【図６】本発明の一実施の形態に係る表示制御部による出入口枠表示器の表示形態の制御の例を示すフローチャートである。
【図７】本発明の一実施の形態に係る固定表示に制御された出入口枠表示器の表示例を示す説明図である。
【図８】本発明の一実施の形態に係るスクロール表示に制御された出入口枠表示器の表示例を示す説明図である。
【図９】本発明の一実施の形態に係るページ切替表示に制御された出入口枠表示器の表示例を示す説明図である。
【発明を実施するための形態】
【００１２】
以下、本発明を実施するための形態例について、添付図面を参照して説明する。本明細書及び図面において、実質的に同一の機能又は構成を有する構成要素については、同一の符号を付することにより重複する説明を省略する。
【００１３】
図１は、エレベーター装置１０の内部構成例を示すブロック図である。
エレベーター装置１０は、乗りかご１ａ〜１ｎ、エレベーター制御装置２及び行先階登録装置４を備え、不図示の昇降路内を昇降する複数の乗りかご１ａ〜１ｎの運行を群管理制御する、いわゆる群管理エレベーター装置である。乗りかご１ａ〜１ｎの運行は、エレベーター制御装置２の不図示の群管理制御部により制御される。
【００１４】
乗りかご１ａ〜１ｎは、不図示のロープにより昇降路内に吊持され、不図示の巻上機によりロープが巻上げられることにより昇降路内を昇降する。乗りかご１ａ〜１ｎには、１号機からｎ号機までの号機番号が１台ずつ割り振られている。このため、乗りかご１ａ〜１ｎは、号機番号により識別可能である。号機番号として、数字以外にも英字、英数字の組み合わせが用いられる。
【００１５】
乗りかご１ａ内には、乗りかご１ａに割当てられた行先階に相当する行先階表示文字を表示可能な出入口枠表示器３ａ（表示器の一例）が設けられる。出入口枠表示器３ａは、乗りかご１ａ内の出入口枠７ａ（後述する図４）に設置されており、乗りかご１ａに割当てられた行先階を行先階表示文字により表示可能である。利用者は、乗りかご１ａが乗車階に到着すると、出入口枠表示器３ａに表示される行先階表示文字を見て、自身が行先階登録装置４に登録した行先階に乗りかご１ａが移動するか確認可能である。乗りかご１ａと同様に、乗りかご１ｎ内にも乗りかご１ｎに割当てられた行先階に相当する行先階表示文字を表示可能な出入口枠表示器３ｎが設けられる。このように出入口枠表示器３ａ〜３ｎは、号機毎に設けられている。
なお、乗りかご１ａ〜１ｎの構成は同じであるため、以下、乗りかご１ａの号機に行先階が割当てられたものとして説明する。
【００１６】
行先階登録装置４は、各階の乗場入口に設けられており、利用者が行先階を登録するために用いられる。この行先階登録装置４は、例えば、行先階を入力するテンキー釦や登録された行先階、及び行先階が割当てられた乗りかご１ａの号機番号を表示する液晶パネルを有している。行先階登録装置４の液晶パネルと、乗りかご１ａ内の出入口枠表示器３ａの液晶パネルとは、同一品としてもよい。利用者が行先階登録装置４を操作して行先階を登録すると、行先階登録装置４が乗りかご１ａの号機毎に行先階を割当て、行先階が割当てられた乗りかご１ａの号機番号が表示される。利用者は、行先階登録装置４に表示された号機番号を確認して、乗場に行き、この号機番号が表示される乗場ドア８ａの近くで乗りかご１ａの到着を待つ。乗りかご１ａが到着すると、利用者が出入口枠表示器３ａに表示された行先階表示文字を確認し、乗りかご１ａに乗り込む。利用者が乗り込んだ乗りかご１ａが行先階に移動した後、利用者は、登録した行先階で降車することができる。
【００１７】
エレベーター制御装置２は、乗りかご１ａの運行を統括制御する。乗りかご１ａの運行とは、行先階登録装置４の設置階に乗りかご１ａを着床し、乗りかご１ａに利用者を乗車可能とした後、利用者が行先階登録装置４に登録した行先階に乗りかご１ａを移動して、行先階にて乗りかご１ａから利用者を降車可能とすることである。
【００１８】
エレベーター制御装置２は、送受信部２１、表示制御部２２を備える。
送受信部２１は、出入口枠表示器３ａ〜３ｎ及び行先階登録装置４に接続されており、出入口枠表示器３ａ〜３ｎ及び行先階登録装置４との間で各種の情報を送受信することが可能である。このため、送受信部２１は、行先階登録装置４に登録され、乗りかご１ａ〜１ｎの号機毎に行先階登録装置４により割当てられた行先階を受信し、表示制御部２２に行先階を送信する。
【００１９】
表示制御部２２は、送受信部２１から受信した行先階に基づいて、行先階表示文字情報を生成し、行先階が割当てられた号機の出入口枠表示器３ａ〜３ｎのいずれかに行先階表示文字を表示する制御を行う。ここでは、出入口枠表示器３ａに行先階表示文字を表示する制御が行われる。そして、表示制御部２２は、出入口枠表示器３ａに対して、割当てられた行先階の数に応じて、行先階表示文字の表示形態を切替える指示を送受信部２１を通じて出入口枠表示器３ａに送信する。この表示制御部２２は、行先階情報取得部２３、行先階登録数判定部２４、表示切替制御部２５、表示可能行数情報取得部２６、記憶部２７を備える。
【００２０】
行先階情報取得部２３は、行先階登録装置４に登録された行先階を送受信部２１を通じて取得する。この行先階は、行先階登録装置４により号機毎に割当てられた状態である。
【００２１】
行先階登録数判定部２４は、行先階情報取得部２３が取得した、サービス行程（乗りかご１ａの昇り又は降りの一方向）に合わせて割当てられた行先階の数（以下、「行先階登録数」と呼ぶ）を号機毎に判定する。
【００２２】
表示切替制御部２５は、登録された行先階の数に応じて行先階表示文字の表示形態を号機毎に切替えて、出入口枠表示器３ａに行先階表示文字を表示させる制御を行う。行先階表示文字の表示形態は、固定表示（図７）、スクロール表示（図８）、又はページ切替表示（図９）のいずれかである。
【００２３】
表示可能行数情報取得部２６は、出入口枠表示器３ａが表示可能な行先階表示文字の行数情報を、送受信部２１を介して出入口枠表示器３ａから取得する。表示可能行数とは、１回で出入口枠表示器３ａが表示可能な行先階表示文字の行数である。例えば、出入口枠表示器３ａの表示可能行数が４行である。表示可能行数情報取得部２６が動作するタイミングは、例えば、エレベーター装置１０を建屋等に設置したときに行われる初期設定時である。
【００２４】
記憶部２７は、出入口枠表示器３ａの仕様に関する情報等を記憶する。出入口枠表示器３ａの仕様に関する情報として、例えば、表示可能行数情報の他、行先階表示文字のフォント、フォントサイズ等がある。
【００２５】
出入口枠表示器３ａは、例えば、乗りかご１ａの出入口枠７ａに配置される液晶パネルで構成されている。この液晶パネルには小型の汎用品が用いられる。出入口枠表示器３ａは、例えば、予め定められたフォント及びフォントサイズで４行分の行先階表示文字を表示可能である。そして、出入口枠表示器３ａは、表示切替制御部２５の指示により、行先階登録数（行先階表示文字の行数情報）に応じて行先階表示文字の表示形態を変更する。
【００２６】
例えば、行先階登録数（行先階表示文字の行数情報）が表示可能行数である４行以下であれば、出入口枠表示器３ａは、行先階表示文字を固定表示する。また、行先階登録数が表示可能行数＋２行以下、すなわち５行又は６行であれば、出入口枠表示器３ａは、縦方向に行先階表示文字をスクロール表示する。なお、所定数の一例として「３」が設定された場合、「行先階登録数が表示可能行数＋２行以下」とは、「行先階登録数が表示可能行数＋３行未満」と同じ意味である。そして、行先階登録数が表示可能行数＋３行以上、すなわち７行以上であれば、出入口枠表示器３ａは、ページ切替表示にて行先階表示文字を表示する。各表示形態の詳細な例については後述する図７〜図９に示す。
【００２７】
図２は、乗りかご１ａの内部から、かごドア５ａが配置された面を見た様子の例を示す説明図である。図２ではかごドア５ａが閉じた状態の様子が示される。
【００２８】
乗りかご１ａには、昇降方向や現在の昇降位置などを表示するかご内表示部１１ａと、行先階やドアの開閉などを指示するかご内操作盤１２ａが配置されている。かご内表示部１１ａの表示内容は表示制御部２２により制御される。また、かご内操作盤１２ａにより操作された指示内容はエレベーター制御装置２に送信される。なお、乗りかご１ａには、かご内操作盤１２ａを設けない構成としてもよい。
【００２９】
かごドア５ａの周囲を囲む出入口枠７ａの右側面と左側面に２つの出入口枠表示器３ａが配置される。出入口枠表示器３ａは、かごドア５ａが開閉する方向と直交する方向に表示面が配置され、出入口枠７ａの厚さに収まるような細長い四角形状とされている。図２に示すように、かごドア５ａが閉まっている状態では、出入口枠表示器３ａに表示された行先階表示文字は、乗りかご１ａ内の乗客しか見ることができない。
【００３０】
図３は、乗場から、乗りかご１ａ内を見た様子の例を示す説明図である。図３では、かごドア５ａ及び乗場ドア８ａが開いた状態の様子が示される。
【００３１】
乗場には、各号機の乗場ドア８ａが設置され、乗りかご１ａが到着した際に、乗りかご１ａのかごドア５ａと連動して乗場ドア８ａが開閉する。乗場ドア８ａの上側には、各号機の乗りかごの運転方向を表示する運転方向表示部１３ａと、各号機に登録された行先階等を表示する乗場案内表示部１４ａとが設けられている。運転方向表示部１３ａ、乗場案内表示部１４ａの表示内容は表示制御部２２により制御される。かごドア５ａ及び乗場ドア８ａが開いている状態では、乗りかご１ａ内の乗客だけでなく、乗場にいる乗客であっても、出入口枠表示器３ａに表示された内容を見ることができる。
【００３２】
図４は、出入口枠表示器３ａの設置場所を示す乗りかご１ａの説明図である。図４には、かごドア５ａ及び乗場ドア８ａが開いた状態であって、乗りかご１ａを上側から見た様子が示される。
【００３３】
乗りかご１ａにはかごドア５ａが取付けられる。乗りかご１ａに利用客が出入りする出入口には出入口枠７ａが設けられる。出入口枠表示器３ａは、出入口枠７ａの内側の２箇所（左側面及び右側面）に配置される。このため、乗りかご１ａが乗場に到着し、かごドア５ａと、乗場に取付けられる乗場ドア８ａとが共に開くと、乗場にいる利用者が出入口枠表示器３ａに表示された行先階表示文字を確認することができる。
【００３４】
ただし、出入口枠表示器３ａは、出入口枠７ａの内側の１箇所だけに配置されてもよい。例えば、利用者が行先階登録装置４に行先階を登録した後、乗りかご１ａの前に移動するときの進行方向が図４の左から右の方向である場合、出入口枠表示器３ａは、進行方向正面に当たる右側の出入口枠表示器３ａだけが設けられていてもよい。例えば、図４の乗場にいる利用者の破線矢印で示される視線方向に出入口枠表示器３ａがあるため、利用者は、出入口枠表示器３ａの表示内容を視認しやすい。
【００３５】
乗場壁面には、各号機に登録された行先階等を表示する乗場案内表示部９が設けられており、利用者は、乗場案内表示部９に表示される号機番号により、行先階が割当てられた乗りかご１ａの場所を確認できる。
【００３６】
行先階登録装置４に行先階を登録した利用者は、乗場に来ると、号機毎に表示される号機番号により、乗り込む乗りかご１ａの号機番号を確認する。そして、乗りかご１ａが乗場に到着すると、かごドア５ａ及び乗場ドア８ａが開くと、利用者は、出入口枠表示器３ａに表示される行先階表示文字を確認する。これにより利用者は、乗り込もうとする乗りかご１ａの行先階が、自身が登録した行先階であることを確認できる。利用者が乗りかご１ａに乗り込んだ後、かごドア５ａ及び乗場ドア８ａが閉じる。そして、乗りかご１ａは、登録された行先階に移動する。
【００３７】
次に、エレベーター制御装置２を構成する計算機Ｃのハードウェア構成を説明する。
図５は、計算機Ｃのハードウェア構成例を示すブロック図である。
【００３８】
計算機Ｃは、いわゆるコンピュータとして用いられるハードウェアである。計算機Ｃは、バスＣ４にそれぞれ接続されたＣＰＵ（Central Processing Unit：中央処理装置）Ｃ１、ＲＯＭ（Read Only Memory）Ｃ２、ＲＡＭ（Random Access Memory）Ｃ３を備える。さらに、計算機Ｃは、不揮発性ストレージＣ５、ネットワークインターフェイスＣ６を備える。
【００３９】
ＣＰＵ Ｃ１は、本実施の形態例に係る各機能を実現するソフトウェアのプログラムコードをＲＯＭ Ｃ２から読み出して実行する。ＲＡＭ Ｃ３には、演算処理の途中に発生した変数やパラメーター等が一時的に書き込まれる。表示制御部２２の機能は、ＣＰＵ Ｃ１が実行するプログラムにより実現される。
【００４０】
不揮発性ストレージＣ５としては、例えば、ＨＤＤ（Hard Disk Drive）、ＳＳＤ（Solid State Drive）、フレキシブルディスク、光ディスク、光磁気ディスク、ＣＤ−ＲＯＭ、ＣＤ−Ｒ、磁気テープ、不揮発性のメモリ等が用いられる。この不揮発性ストレージＣ５には、ＯＳ（Operating System）、各種のパラメーターの他に、計算機Ｃを機能させるためのプログラムが記録されている。ＲＯＭ Ｃ２、不揮発性ストレージＣ５は、ＣＰＵ Ｃ１が動作するために必要なプログラムやデータ等を記録しており、計算機Ｃによって実行されるプログラムを格納したコンピュータ読取可能な非一過性の記録媒体の一例として用いられる。このため、ＲＯＭ Ｃ２、不揮発性ストレージＣ５には、このプログラムが永続的に格納される。記憶部２７の機能は、ＲＯＭ Ｃ２、ＲＡＭ Ｃ３、不揮発性ストレージＣ５により実現される。
【００４１】
ネットワークインターフェイスＣ６には、例えば、ＮＩＣ（Network Interface Card）等が用いられ、端子が接続されたＬＡＮ（Local Area Network）、専用線等を介して各種のデータを装置間で送受信することが可能である。送受信部２１の機能は、ネットワークインターフェイスＣ６により実現される。
【００４２】
次に、表示制御部２２による表示制御、及び出入口枠表示器３ａの表示例について、図６〜図９を参照して説明する。
図６は、表示制御部２２による出入口枠表示器３ａの表示形態の制御の例を示すフローチャートである。
【００４３】
建屋にエレベーターを据え付ける際、送受信部２１を介して、乗りかご１ａの出入口枠表示器３ａと表示制御部２２が接続される。このとき、表示可能行数情報取得部２６は、出入口枠表示器３ａから、表示可能行数情報を含む出入口枠表示器３ａの仕様に関する情報を取得し、記憶部２７に記憶する（Ｓ１）。以降の処理では、記憶部２７に記憶された出入口枠表示器３ａの仕様に関する情報が用いられる。
【００４４】
エレベーター装置１０の通常運転時、行先階登録装置４は、利用者が行先階登録装置４を操作して登録した行先階毎に号機を割当てる。ここでは、乗りかご１ａに行先階が割当てられたとする。そして、行先階情報取得部２３は、行先階登録装置４により割当てられた乗りかご１ａの行先階情報を、割当てられた号機の情報と共に、送受信部２１を介して行先階登録装置４から取得する（Ｓ２）。
【００４５】
次に、行先階登録数判定部２４は、乗りかご１ａのサービス行程において登録された行先階登録数を号機毎に判定する（Ｓ３）。行先階登録数判定部２４による判定結果は、表示可能行数以下、表示可能行数＋２行以下、表示可能行数＋３行以上のいずれかとなる。
【００４６】
ステップＳ３にて行先階登録数の判定結果が、表示可能行数以下である場合、表示切替制御部２５は、送受信部２１を通じて、出入口枠表示器３ａを固定表示に制御する（Ｓ４）。例えば、行先階登録数が４つであれば、表示切替制御部２５は固定表示にて行先階表示文字を表示するよう送受信部２１を介して出入口枠表示器３ａに指令を出力する。そして、出入口枠表示器３ａが固定表示に制御される。
【００４７】
図７は、固定表示に制御された出入口枠表示器３ａの表示例を示す説明図である。
固定表示は、登録された行先階の数が出入口枠表示器３ａの表示可能行数以下である場合に、登録された行先階の行先階表示文字を表示する形態である。
【００４８】
例えば、乗りかご１ａの行先階が、８階床、１０階床、１６階床及び２８階床であるとする。このとき、行先階登録数が４つである。このため、出入口枠表示器３ａは、行先階表示文字である「８、１０、１６、２８」を表示し、乗りかご１ａの運転方向を示す上向き矢印３１を表示する。このため、利用者は、自身が登録した行先階をすぐに確認することができる。
【００４９】
ステップＳ３にて行先階登録数の判定結果が、表示可能行数＋２行以下である場合、表示切替制御部２５は、送受信部２１を通じて、出入口枠表示器３ａをスクロール表示に制御する（Ｓ５）。例えば、サービス行程における乗りかご１ａの行先階の数が６つであれば、行先階表示文字の数は、出入口枠表示器３ａの表示可能行数を超えている。このため、表示切替制御部２５はスクロール表示にて行先階表示文字を表示するよう送受信部２１を介して出入口枠表示器３ａに指令を出力する。そして、出入口枠表示器３ａがスクロール表示に制御される。
【００５０】
図８は、スクロール表示に制御された出入口枠表示器３ａの表示例を示す説明図である。
スクロール表示は、登録された行先階の数が出入口枠表示器３ａの表示可能行数より多く、かつ出入口枠表示器３ａの表示可能行数に所定数（例えば、「３」）を加えた数未満である場合に、乗りかご１ａの昇降方向に合わせて行先階表示文字をスクロールして表示する形態である。
【００５１】
例えば、サービス行程が昇り方向であって、乗りかご１ａの行先階が、２階床、８階床、１６階床、２４階床、２６階床及び２８階床であるとする。このとき、行先階登録数が６つである。そして、乗りかご１ａのサービス行程の方向を示す上向き矢印３１が画面の上に表示される。
【００５２】
そして、出入口枠表示器３ａは、図８Ａに示すように「１６、２４、２６、２８」を始めに表示する。そして、０．５秒後に、出入口枠表示器３ａは、上方向に画面をスクロールする。このとき、出入口枠表示器３ａは、「２８」をスライドアウトして、図８Ｂに示すように「８、１６、２４、２６」を表示する。さらに、０．５秒後に出入口枠表示器３ａは、上方向に画面をスクロールし、「２６」をスライドアウトする。このとき、出入口枠表示器３ａは、図８Ｃに示すように「２、８、１６、２４」を表示する。ここで、出入口枠表示器３ａは、画面の上にスクロールの方向を示す三角形の上向きマーク３３を表示する。上向きマーク３３は、出入口枠表示器３ａに表示しきれない行先階表示文字があることを示す情報の一例である。
【００５３】
逆に、サービス行程が降り方向であって、乗りかご１ａの行先階が、１階床、２階床、３階床、２０階床、２２階床、２６階床であるとする。このときも行先階登録数が６つであり、乗りかご１ａのサービス行程の方向を示す下向き矢印３２が画面の下に表示される。
【００５４】
そして、出入口枠表示器３ａは、図８Ｄに示すように「３、２０、２２、２６」を始めに表示する。そして、０．５秒後に、出入口枠表示器３ａは、下方向に画面をスクロールする。このとき、出入口枠表示器３ａは、「２６」をスライドアウトして、図８Ｅに示すように「２、３、２０、２２」を表示する。さらに、０．５秒後に出入口枠表示器３ａは、下方向に画面をスクロールし、「２２」をスライドアウトする。このとき、出入口枠表示器３ａは、図８Ｆに示すように「１、２、３、２０」を表示する。ここで、出入口枠表示器３ａは、画面の下にスクロールの方向を示す三角形の下向きマーク３４を表示する。下向きマーク３４についても、出入口枠表示器３ａに表示しきれない行先階表示文字があることを示す情報の一例である。
【００５５】
出入口枠表示器３ａに上向きマーク３３又は下向きマーク３４が表示されると、利用者は、出入口枠表示器３ａが固定表示ではなく、スクロール表示されていることが分かる。このため、利用者は、現在、出入口枠表示器３ａに表示された行先階表示文字に登録した行先階が表示されていなくても、行先階表示文字がスクロール表示されることにより、登録した行先階が表示されるまで待って、行先階を確認することができる。
【００５６】
ステップＳ３にて行先階登録数の判定結果が、表示可能行数＋３行以上である場合、表示切替制御部２５は、送受信部２１を通じて、出入口枠表示器３ａをページ切替表示に制御する（Ｓ６）。例えば、サービス行程における乗りかご１ａの行先階の数が８行であれば、行先階表示文字の数は、出入口枠表示器３ａの表示可能行数を超えている。このため、表示切替制御部２５はスクロール表示にて行先階表示文字を表示するよう送受信部２１を介して出入口枠表示器３ａに指令を出力する。そして、出入口枠表示器３ａがページ切替表示に制御される。
【００５７】
図９は、ページ切替表示に制御された出入口枠表示器３ａの表示例を示す説明図である。
ページ切替表示は、登録された行先階の数が出入口枠表示器３ａの表示可能行数に所定数を加えた数以上である場合に、表示可能行数のページ毎に切替えて行先階表示文字を表示する形態である。
【００５８】
例えば、乗りかご１ａの行先階が、２階床、８階床、１６階床、Ｍ２２階床、Ｍ２２Ｂ階床、２４階床、２６階床及び２８階床であるとする。このとき、行先階登録数が８つである。しかし、出入口枠表示器３ａが一度に表示可能な行先階表示文字の行数は４行である。このため、出入口枠表示器３ａは、図９Ａに示すように「Ｍ２２Ｂ、２４、２６、２８」の４行の行先階表示文字を表示する。このとき画面下部には「ＰＡＧＥ１」と表示され、次ページがあることを報知する。次に、所定時間後に、図９Ｂに示すように、「２、８、１６、Ｍ２２」の４行の行先階表示文字を表示する。このとき画面下部には「ＰＡＧＥ２」と表示される。このように画面下部に「ＰＡＧＥ」と表示されることで、利用者はページ切替表示が行われていると気付くことができる。
【００５９】
「ＰＡＧＥ２」が表示された所定時間後には、再び図９Ａに示すように「Ｍ２２Ｂ、２４、２６、２８」の４行の行先階表示文字を表示する。このように出入口枠表示器３ａには、所定時間毎にページが切替えて表示される。このため、多くの行先階が乗りかご１ａに割当てられていても利用者は行先階を確認しやすくなる。
【００６０】
上述したようにステップＳ４，Ｓ５，Ｓ６のいずれかの表示形態により出入口枠表示器３ａに表示された行先階表示文字を利用者が確認できる。そして、利用者は、登録した行先階に乗りかご１ａが移動することが確認すると、乗りかご１ａに乗り込む。これにより利用者は、登録した行先階に移動することが可能となる。
【００６１】
以上説明した一実施の形態に係るエレベーター装置１０では、行先階が割当てられた号機のサービス行程における行先階の数に応じて表示切替制御部２５が出入口枠表示器３ａによる行先階表示文字の表示形態が切替えられる。この表示形態は、固定表示、スクロール表示、又はページ切替表示のいずれかとなる。このため、表示可能行数が限られる小型の出入口枠表示器３ａであっても、行先階表示文字の視認性が向上し、利用者が行先階を確認しやすくなる。そして、利用者は比較的遠くからでも行先階表示文字を確認し、スムーズに乗りかご１ａに乗り込むことができる。このため、乗りかご１ａの出入口付近（かごドア５ａ，乗場ドア８ａ）における混雑を緩和し、乗車時間の短縮を図ることができる。
【００６２】
また、出入口枠表示器３ａの液晶パネルとして、全ての行先階を表示可能な専用の大型液晶パネルを必要とせず、汎用の小型液晶パネルを用いることができる。このため、保守性の向上を図ると共に、コストの低減を図ることができる。
【００６３】
なお、出入口枠表示器３ａは、乗りかご１の出入口枠７ａではなく、各階の乗場の出入口枠等に設置してもよい。この場合、利用者は、乗場ドア８ａ及びかごドア５ａが開く前に、乗りかご１ａに割当てられた行先階を確認することができる。
【００６４】
また、出入口枠表示器３ａの視認性が低下しない程度に、出入口枠表示器３ａに表示される行先階表示文字の大きさを変更したり、行間を詰めたりしてもよい。例えば、出入口枠表示器３ａが、ある大きさのフォントサイズでは４行までしか表示できなければ、フォントサイズを少し小さくすることで５行まで表示してもよい。
【００６５】
本実施の形態に係るプログラムを既存のエレベーター制御装置２にインストールすることで、本実施の形態に係る送受信部２１及び表示制御部２２の機能を実現することが可能である。このため、エレベーター制御装置２の機能追加を容易に行うことができる。また、既存のエレベーター装置に設けられている古いエレベーター制御装置を、本実施の形態に係るエレベーター制御装置２に交換するメンテナンスサービスも容易に行うことができる。
【００６６】
また、本発明は上述した実施の形態に限られるものではなく、特許請求の範囲に記載した本発明の要旨を逸脱しない限りその他種々の応用例、変形例を取り得ることは勿論である。
例えば、上述した実施の形態は本発明を分かりやすく説明するために装置の構成を詳細かつ具体的に説明したものであり、必ずしも説明した全ての構成を備えるものに限定されない。また、ここで説明した実施の形態の構成の一部を他の実施の形態の構成に置き換えることは可能であり、さらにはある実施の形態の構成に他の実施の形態の構成を加えることも可能である。また、各実施の形態の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００６７】
１ａ〜１ｎ…乗りかご、２…制御装置、３ａ〜３ｎ…出入口枠表示器、４…行先階登録装置、１０…エレベーター装置、２１…送受信部、２２…表示制御部、２３…行先階情報取得部、２４…行先階登録数判定部、２５…表示切替制御部、２６…表示可能行数情報取得部、２７…記憶部
【図１】
2019001621.tif 000003
【図２】
2019001621.tif 000004
【図３】
2019001621.tif 000005
【図４】
2019001621.tif 000006
【図５】
2019001621.tif 000007
【図６】
2019001621.tif 000008
【図７】
2019001621.tif 000009
【図８】
2019001621.tif 000010
【図９】
2019001621.tif 000011